【事件の表示】
　特願２００２−１８３６９４「水の自動販売機におけるミネラル含有水の製造方法」拒絶査定不服審判事件〔平成１５年１１月２８日出願公開、特開２００３−３３７９７８〕について、次のとおり審決する。
【結　論】
　本件審判の請求は、成り立たない。
【理　由】
第１．手続の経緯
　本願は、平成１４年５月２０日の出願であって、平成１９年２月２３日付けで拒絶査定がなされ、これに対し、同１９年４月５日に拒絶査定に対する審判請求がなされ、当審から平成２１年２月５日付けで拒絶理由通知がなされ、平成２１年４月１３日付けで意見書とともに手続補正がなされたものである。
　
第２．本願発明
　本願の請求項１ないし２に係る発明は、平成２１年４月１３日付け手続補正書によって補正された特許請求の範囲１ないし２に記載された事項により特定されるとおりのものと認めるところ、請求項の記載は以下のとおりである。
「　【請求項１】
　ミネラル成分を添加する水の自動販売機におけるミネラル含有水の製造方法において、
顧客が、ミネラル成分注入ポンプ（４）の脈流数、又は回転数をその都度変化させ、純水装置（１）により造水された純水（Ｗ）中へミネラル成分（Ｍ）の添加量を、連続的、又は半連続的に注入することにより、顧客の好みに合わせたミネラル含有水（ＭＷ）を製造することを特徴とする水の自動販売機におけるミネラル含有水の製造方法。
　　【請求項２】
　ミネラル成分を添加する水の自動販売機におけるミネラル含有水の製造方法において、
顧客が、ミネラル成分注入ポンプ（４）の脈流数、又は回転数をその都度変化させ、純水装置（１）により造水された純水（Ｗ）中へミネラル成分（Ｍ）の添加量を、希望濃度選択器（６）により、連続的、又は半連続的に純水から硬度の異なるミネラル水、又は希望の擬似天然水その都度選択し、顧客が、好みの硬度のミネラル含有水（ＭＷ）を製造することを特徴とする水の自動販売機におけるミネラル含有水の製造方法。」（以下、請求項１に記載の発明を「本願発明」という。）
　
第３．引用例
１．引用例１
　当審で通知した拒絶の理由に引用された特開２０００−３０６１６０号公報（以下、「引用例１」という。）には、「処理水の自動販売装置」に関して、図面とともに、以下のとおり記載されている。
　
ア．【特許請求の範囲】【請求項１】
「水を購入したい旨の指示である購入指示を入力する入力手段と、
　前記入力手段が入力した購入指示に基づき、水を所定量処理し、処理水を製造する水処理手段と、
　前記水処理手段が製造した前記処理水を、容器に封入する封入手段と、
　を含むことを特徴とする処理水の自動販売装置。」
イ．【特許請求の範囲】【請求項４】
「請求項１記載の処理水の自動販売装置において、
　前記水処理手段は、水にビタミン又はミネラルを添加する添加手段を含むことを特徴とする処理水の自動販売装置。」
ウ．【発明の詳細な説明】段落【０００１】
「【発明の属する技術分野】
　本発明は、浄化水等の処理水を販売する自動販売装置に関する。特に、購入者が水を購入する指示を出すたびに、その都度水を浄水（処理）し、所定の容器に封入して販売する自動販売装置に関する。」
エ．【発明の詳細な説明】段落【００１２】
「本発明は、かかる課題に鑑みなされたものであり、その目的は、購入者が要求するたびに、水を浄水し、得られた浄化水を容器に封入して販売することが可能な浄化水の自動販売装置を提供することである。」
オ．【発明の詳細な説明】段落【００１３】
「さらに、本発明は、浄化水だけでなく広く所定の処理を施した水を容器に封入して販売することが可能な処理水の自動販売装置を提供することを目的とする。」
カ．【発明の詳細な説明】段落【００１４】
「【課題を解決するための手段】上記課題を解決するために、第１の本発明は、水を購入したい旨の指示である購入指示を入力する入力手段と、前記入力手段が入力した購入指示に基づき、水を所定量処理し、処理水を製造する水処理手段と、前記水処理手段が製造した前記処理水を、容器に封入する封入手段と、を含むことを特徴とする処理水の自動販売装置である。」
キ．【発明の詳細な説明】段落【００１５】
「このような構成によれば、水の購入指示が出されるたびに、その都度所定の処理を行った水が製造されるため、新鮮で衛生的な処理水を購入可能である。さらに、製造した処理水を容器に封入しているので、購入者は容器を持参する必要がない。」
ク．【発明の詳細な説明】段落【００１６】
「なお、処理水には、浄水した浄化水が含まれるが、それ以外にもいわゆる還元水や、アルカリイオン水、活水、生体水等種々の処理を施した水が含まれる。本発明によれば、これらの水を販売する場合においても、新鮮で衛生的な処理水を販売することができる。」
ケ．【発明の詳細な説明】段落【００２２】
「第４の本発明は、前記水処理手段は、水にビタミン又はミネラルを添加する添加手段を含むことを特徴とする処理水の自動販売装置である。」
コ．【発明の詳細な説明】段落【００２３】
「さて、第１の本発明における所定の水処理は、水に対する処理であればどのような処理でもよい。塩素などの取り除くいわゆる「浄水」だけでなく、ビタミンやミネラル等を添加する処理でもよい。水にビタミンやミネラルを添加すれば、新鮮で衛生的なミネラルウォーター等を、販売することができる。」
サ．【発明の詳細な説明】段落【００３２】
「【発明の実施の形態】　以下、本発明の好適な実施の形態を図面に基づいて説明する。」
シ．【発明の詳細な説明】段落【００３３】
「図１には、本実施の形態にかかる浄化水の自動販売装置１０の構成ブロック図が示されている。」
ス．【発明の詳細な説明】段落【００３４】
「まず、浄化水の購入者は、この自動販売装置１０に備えられているボタン等を操作し、浄化水を購入する旨の指示を入力手段１２に入力する。本文では、この指示を購入指示と呼ぶ。入力手段１２は、入力した購入指示を、浄水手段１４及び封入手段１６に対して送出する。」
セ．【発明の詳細な説明】段落【００３５】
「入力手段１２は、自動販売装置１０におけるいわゆる操作パネルを含む手段であり、購入者とのインターフェースを司る。この入力手段１２は従来の自動販売装置に使用されていたのと同様のものが利用可能である。」
ソ．【発明の詳細な説明】段落【００３６】
「浄水手段１４は、例えば中空糸フィルター等を用いた浄水装置であり、上記購入指示に基づき、水を所定量浄水し、浄化水を製造する。浄水手段１４は、従来から知られている種々の浄水原理を採用することができる。また、浄水手段が浄水する水は水道水の他に、井戸水等種々の水源が利用可能である。」
タ．【発明の詳細な説明】段落【００３７】
「なお、浄水手段１４が浄水する水の量は、あらかじめ定められた固定の値に限られず、購入者が購入したい水の量を指示可能に構成することも好ましい。この購入者が指示した水の量は、上記購入指示中に含まれることになる。」
チ．【発明の詳細な説明】段落【００３８】
「購入したい水の量を購入者が指示するのは、例えば水の量によって異なるボタンを入力手段１２が備えることによって可能である。」
ツ．【発明の詳細な説明】段落【００３９】
「浄水手段１４が製造した所定量の浄化水は、封入手段１６に供給される。その途中で、ビタミン・ミネラル添加手段１７が、浄化水中に所定のビタミン・ミネラルを添加する。すなわち、封入手段１６に供給される水は、単なる浄化水ではなく、所定のビタミンやミネラルが添加されている水である。このようなビタミン・ミネラル添加手段１７を設けることによって、ミネラルウォーターを販売することができる。」
　
　以上によれば、引用例１には、「購入者が水を購入する指示を出すたびに、浄化水中に所定のミネラルを添加したミネラルウォーター等の処理水の自動販売装置におけるミネラルウォーターの製造方法。」との発明（以下、「引用例発明１」という。）が開示されていると認められる。
　
２．引用例２
　同じく、当審で通知した拒絶の理由に引用された特開平１１−９０４５８号公報（以下、「引用例２」という。）には、「飲料水製造器」に関して、図面とともに、以下のとおり記載されている。
　
ア．【特許請求の範囲】【請求項１】
「水道水等の飲料用の原水が通る原水パイプと、水溶液が入った水溶液タンクに接続したピエゾポンプと、前記原水とピエゾポンプにより吐出された水溶液とを混合する混合部とを設けた飲料水製造器。」
イ．【発明の詳細な説明】段落【０００１】
「【発明の属する技術分野】本発明は水道水にカルシウムやマグネシウム等のミネラル成分を添加する飲料水製造器に関するものである。」
ウ．【発明の詳細な説明】段落【０００５】
「【課題を解決するための手段】上記課題を解決するために本発明は、水道水等の飲料用の原水が通る原水パイプと、水溶液が入った水溶液タンクに接続したピエゾポンプと、前記原水とピエゾポンプにより吐出された水溶液が混合する混合部を設けたものである。そして、水溶液を直接原水に混合することにより、瞬時に目的の成分を添加させることができる。」
エ．【発明の詳細な説明】段落【００１７】
「【実施例】以下、本発明の一実施例について図面を参照して説明する。」
オ．【発明の詳細な説明】段落【００１８】
「（実施例１）図１において、１は水道水に直結した給水パイプで、２は水道水中のカルキ、カビ臭、鉄錆等の微粒子や雑菌等を除去する浄水カートリッジで、内部には活性炭と中空糸膜を設けている。３は浄水カートリッジ２により浄水された水が通る原水パイプである。４は水溶液タンクで、内部には硫酸カルシウム水溶液、塩化カルシウム水溶液、硫酸マグネシウム水溶液等の水溶液５が入っている。６は水溶液タンク４に連通したピエゾポンプで、セラミック振動子を振動させることにより、水溶液５をピエゾポンプに接続した吐出パイプ７で吐出する。８は原水パイプ３より吐出した原水と吐出パイプ７より吐出した水溶液５が混合する混合部で、大気に連通している。吐出パイプ７の先端部は、原水出水時には原水が接触する位置に設けられている。混合部８の内部には、水の硬度を検出する硬度センサー９を設けている。１０は硬度センサー９で検出した硬度値を表示する表示部で、本体１１上に設けられている。」
カ．【発明の詳細な説明】段落【００２２】
「また、混合したカルシウムまたはマグネシウム等のミネラル成分濃度を検出する硬度センサー９は、ピエゾポンプ６の印加電圧、あるいは振動数を制御することによって、水溶液５吐出量を調整して低濃度から高濃度まで設定した濃度を保つことができる。」
　
　以上によれば、引用例２には、
「浄水カートリッジにより浄水された原水に、ピエゾポンプにより吐出されたミネラル成分の水溶液とを混合する混合部とを設け、ピエゾポンプの印加電圧、あるいは振動数を制御することによって、水溶液の吐出量を調整して低濃度から高濃度まで設定した濃度を保つことができる飲料水製造器。」
　との発明（以下、「引用例発明２」という。）が開示されていると認められる。
　
第４．対比・判断
　本願発明と引用例発明１とを比較すると、販売の都度、飲用水を製造する「水の自動販売機」を対象にしている点で、両者は共通しており、さらに、後者の「ミネラルウォーター等の処理水」は、前者の「ミネラル含有水」に相当する。
　
　してみれば、両者の一致点は以下のとおりである。
＜一致点＞
「ミネラル成分を添加する水の自動販売機におけるミネラル含有水の製造方法」
　
　そして、以下の点で相違している。
　
＜相違点１＞
　本願発明は、ミネラル成分の添加されるべき原水が「純水装置（１）により造水された純水」であるのに対して、引用例発明１では、水の浄水手段は示されているものの、純水装置は示されていない点。
　
＜相違点２＞
　本願発明は、「顧客が、ミネラル成分注入ポンプの脈流数、又は回転数をその都度変化させ、原水中へミネラル成分の添加量を、連続的、又は半連続的に注入することにより、顧客の好みに合わせたミネラル含有水を製造する」のに対して、引用例発明１はそうではない点。
　
＜相違点１＞について検討する。
　飲用水の原料に純水装置により製造された純水を用いることは、周知事項である。これは、例えば、特開昭５９−２２８９８８号公報（発明の名称；逆浸透膜法により高電導度水から純水を得る方法、公報第３頁右上欄第５〜９行の記載「本発明の方法は、前記した原子力発電所からの放射性廃水の処理や地下かん水を原水とする飲料水の製造のほかに、医薬品製造や精密機器に使用する超純水の製造、さらには高圧ボイラー水の給水の製造にも適用でき、その用途は広い。」参照。）、実願平２−５１１６２号（実開平４−９６９７号）のマイクロフィルム（考案の名称；純水から飲用水を造る方法）、特開平６−２８５４６７号公報（発明の名称；整水機）などに示されている。
　してみれば、相違点１に係る構成の違いは、引用発明１に周知事項を適用したにすぎないものであり、当業者が容易に想到し得たものである。
　
＜相違点２＞について検討する。
　引用例発明２においては、原水にミネラル成分の水溶液を混合してミネラルウォーターを製造する点が示され、その際ミネラル成分の濃度を調整するため、ピエゾポンプの印加電圧、あるいは振動数を制御する点もあわせて示されている。
　してみれば、ミネラル成分注入ポンプの脈流数、又は回転数をその都度変化させる操作者が「顧客」である点をのぞいて、相違点２は引用例２に示されているということができ、自動販売機において顧客の好みに合わせるため、顧客が自分の好みに応じて濃度や配合量の設定ができるようにすることは周知事項である（例えば、特開昭５９−１１６８９６号公報参照。）。
　してみれば、相違点２に係る構成の違いは、引用例発明１に引用例発明２、及び周知事項を組み合わせたにすぎないものであり、当業者が容易に想到し得たものである。
　
　作用ないし効果について
　本願発明の作用ないし効果も引用例発明１、引用例発明２に記載の発明及び周知事項から当業者が予想できる範囲のものである。
　
第５．むすび
　
　以上のとおり、本願発明は、引用例発明１、引用例発明２、及び周知事項に基づいて、当業者が容易に発明をすることができたものであるから、特許法第２９条第２項の規定により特許を受けることができず、本願は、その余の請求項に係る発明について見るまでもなく、拒絶されるべきものである。
　よって、結論のとおり決定する。